(57)【特許請求の範囲】
【請求項１】
本体と、
前記本体に設けられ、情報を表示する表示部と、
前記本体に対し回動可能に設けられ、少なくとも一部が前記表示部の表示側に突出する位置と、前記表示部の表示側から退避する位置との間で回動するフードと、
前記フードに押圧力が印加されると、前記押圧力に対向する第１の反力を生成する第１の反力生成部と、
を有し、
前記フードは、押圧力が印加されていないときには前記表示部の表示側に少なくとも一部が突出し、押圧力が印加されると前記表示部の表示側から退避するように、前記本体に対し回動し、前記押圧力の印加が終了すると、前記第１の反力により、前記表示部の表示側に少なくとも一部が突出する位置に戻ることを特徴とする表示装置。
【請求項２】
前記表示部は、少なくとも一つの発光ダイオードを備えたことを特徴とする請求項１に記載の表示装置。
【請求項３】
前記表示部を備え、前記本体に対し移動可能に設けられた表示体と、
前記フードの前記表示部の表示側とは反対側の端部に突出して設けられ、前記押圧力が印加されると、前記表示体を前記表示側に押圧する押圧部と、
前記表示体が移動すると前記移動の方向とは逆向きの第２の反力を生成する第２の反力生成部と、
をさらに有し、
前記押圧部は、前記押圧力が印加されると、前記表示体を前記表示側に押圧することにより移動させ、前記表示体は、前記押圧力の印加が終了すると、前記第２の反力により移動前の位置に戻ることを特徴とする請求項１または請求項２に記載の表示装置。
【請求項４】
前記フードは、前記フードの少なくとも２点を通る直線を軸として、前記表示部に対する上下方向に回動することを特徴とする請求項１から請求項３のいずれか一項に記載の表示装置。
【請求項５】
前記フードは、前記フードの１点を通る直線を軸として、前記表示部の上下方向と平行な直線と垂直な上面を有し、前記上面に平行に回動することを特徴とする請求項１または請求項２に記載の表示装置。
【請求項６】
前記第１の反力生成部は、前記フードと前記本体とに接続された弾性部材であることを特徴とする請求項１から請求項５のいずれか一項に記載の表示装置。
【請求項７】
前記第２の反力生成部は、前記表示体と前記本体とに接続された弾性部材であることを特徴とする請求項３に記載の表示装置。
【請求項８】
前記本体は、前記本体の前記表示側の面と平行な面内において、前記表示部の上下方向と鋭角をなす直線に垂直な上面を有し、
前記フードは、前記上面と平行に回動することを特徴とする請求項５に記載の表示装置。
【請求項９】
前記本体は、前記表示部と対向する側に突出する凸部を有することを特徴とする請求項１から請求項８のいずれか１項に記載の表示装置。
【請求項１０】
請求項１から請求項７のいずれか一項に記載の前記表示装置を複数備えた表示装置アレイであって、
前記表示装置の前記フードと前記フードの回動の軸との交点と、前記表示装置に隣接する表示装置との距離は、前記フードが回動する際の回動半径よりも大きいことを特徴とする表示装置アレイ。
【請求項１１】
請求項５に記載の表示装置を、前記表示部の表示面内において第１の方向に対し所定の鋭角だけ同一の方向に傾けた状態で前記表示部の中心が前記第１の方向、または前記表示面内において前記第１の方向と直交する第２の方向の同一直線上にのるように、互いに前記フードの回動半径よりも近い距離に隣接させて複数配置したことを特徴とする表示装置アレイ。
【請求項１２】
請求項８に記載の表示装置を、互いに前記フードの回動半径よりも近い距離に隣接させて複数配置したことを特徴とする表示装置アレイ。
【発明の詳細な説明】
【技術分野】
【０００１】
本発明は、表示装置及び表示装置アレイに関する。
【背景技術】
【０００２】
屋外に設置される例えばＬＥＤ（Ｌｉｇｈｔ  Ｅｍｉｔｔｉｎｇ  Ｄｉｏｄｅ）等の発光素子を用いた表示装置においては、天候などの影響を低減するため、表示部を覆うフード等を設置している場合がある。例えば、着雪を防止するため、表示部の上部に着雪部を介して前傾した庇部を設け、着雪部と庇部との境界に表示部と平行に乾燥した空気を噴出するノズルを設けた例がある（例えば、特許文献１参照）。
【０００３】
しかしながら、上記のような庇部では、例えば太陽光が低い位置から照射された場合には、表示が識別しにくいという問題がある。そこで、表示パネルを庇付きカバー内に設けている例がある（例えば、特許文献２参照）。また、表示部に入る外光の遮光を行う使用状態と、折り畳んで表示部を覆う未使用状態に任意に設定可能なフードを設けた例もある（例えば、特許文献３参照）。
【先行技術文献】
【特許文献】
【０００４】
【特許文献１】特開２００１−３２３４２３号公報
【特許文献２】特開２００５−１５７２３４号公報
【特許文献３】特開平８−０４４３０１号公報
【発明の概要】
【発明が解決しようとする課題】
【０００５】
ところで、屋外に設置される表示装置の表示部に付着した汚れを清掃するためには、表示部をブラシまたは雑巾等で洗う必要がある。しかし、外光の遮光に配慮した上記のような表示装置では、清掃をする事を考慮してフード形状を作っていないため、表示部近傍にフードが突出しており、清掃時の作業性が悪い。特に、フードの根元に近い表示素子を清掃する際は、ブラシや雑巾を押し込んで洗う状況であり、例えば数百〜数千個のＬＥＤ等を清掃するには、効率化を考慮しなければならない。
【０００６】
上記課題に鑑み、本発明では、ブラシや雑巾で清掃する際に、表示部に設けられたフードが邪魔にならない構造または形状の表示装置及び表示装置アレイを提供する。
【課題を解決するための手段】
【０００７】
本発明に係る表示装置は、本体と、前記本体に設けられ、情報を表示する表示部と、前記本体に対し回動可能に設けられ、少なくとも一部が前記表示部の表示側に突出する位置と、前記表示部の表示側から退避する位置との間で回動するフードと、前記フードに前記押圧力が印加されると、前記押圧力に対向する第１の反力を生成する第１の反力生成部と、を有し、前記フードは、押圧力が印加されていないときには前記表示部の表示側に少なくとも一部が突出し、押圧力が印加されると前記表示部の表示側から退避するように、前記本体に対し回動し、前記押圧力の印加が終了すると、前記第１の反力により、前記表示部の表示側に少なくとも一部が突出する位置に戻ることを特徴としている。
【０００８】
また、本発明に係る表示装置アレイは、前記表示装置を複数備え、前記表示装置の前記フードと前記回動軸との交点と、前記表示装置に隣接する表示装置との距離は、前記フードが回動する際の回動半径よりも大きいことを特徴としている。
【発明の効果】
【０００９】
本発明によれば、風雪や太陽光などの影響を受けづらいとともに清掃が容易な表示装置及び表示装置アレイを提供することができる。
【図面の簡単な説明】
【００１０】
【図１】第１の実施の形態による表示装置の斜視図であり、（ａ）は、押圧力を印加されていない状態、（ｂ）は、押圧力を印加された状態を示す。
【図２Ａ】第１の実施の形態による表示装置に対して下方からブラシが回転しながら上方に向かって移動する状況を説明する図であり、（ａ）は、ブラシが表示装置よりも下方にある状態、（ｂ）は、ブラシがフードに対し押圧力を加えながら表示部を清掃している状態を示す。
【図２Ｂ】第１の実施の形態による表示装置に対して下方からブラシが回転しながら上方に向かって移動する状況を説明する図であり、（ａ）は、ブラシがフードに対し押圧力を加えながら本体よりも上方に移動した状態、（ｂ）は、ブラシがフードの上方に移動し、押圧力の印加をしていない状態を示す。
【図３】第２の実施の形態による表示装置を示す図であり、（ａ）は、通常の状態、（ｂ）は、フードが上方に回動した状態を示す。
【図４】第３の実施の形態による表示装置アレイを示す概観図である。
【図５】第４の実施の形態による表示装置アレイの一部を示す側面図である。
【図６】第４の実施の形態の応用例によるスコアボードを示す概観図である。
【図７】第５の実施の形態による表示部の表示例を示す図である。
【図８】第５の実施の形態による表示装置を示す図であり、（ａ）は、通常の状態、（ｂ）は、フードが側方に回動した状態を示す。
【図９】第６の実施の形態による表示装置アレイを示す概観図である。
【図１０】第７の実施の形態による表示装置アレイを示す概観図である。
【図１１】第８の実施の形態による表示装置アレイを示す概観図である。
【図１２】第９の実施の形態による表示装置５０を示す図であり、（ａ）は、通常の状態、（ｂ）は、フードが上方に回動した状態を示す。
【図１３】第９の実施の形態による表示装置５０の側面から見た説明図であり、（ａ）は通常の状態、（ｂ）は、フードが上方に回動する経過、（ｃ）は、上下方向に立ち上がった状態を示す。
【発明を実施するための形態】
【００１１】
以下、図面を参照しながら本発明の実施の形態による表示装置及び表示装置アレイについて説明する。
（第１の実施の形態）
まず、図１、図２を参照しながら、第１の実施の形態による表示装置について説明する。図１は、第１の実施の形態による表示装置１の斜視図であり、（ａ）は、押圧力を印加されていない状態（以下、通常の状態という）を示し、（ｂ）は、押圧力を印加された状態を示す。図１に示すように、表示装置１は、本体３と、本体３に備えられた表示部５と、フード９とを有している。なお、本明細書において、表示装置の表示部が備えられた側を前、逆側を後、フードが備えられた側を上、逆側を下、前後方向及び上下方向に直交する方向を横方向ということにする。横方向の左右については、特に断らない限り、表示部５側から後方に向かって見た方向とする。なお、表示部の上下方向とは、表示部に表示される情報の上下方向とする。
【００１２】
本体３は、例えば金属、プラスティックなどで形成された略直方体形状をなしている。本体３の前面には、表示部５が備えられている。表示部５は、複数の表示素子７を備えており、不図示の制御部によりオンオフを制御されることにより、情報を表示する。表示素子７は、例えば発光ダイオード（ＬＥＤ：Ｌｉｇｈｔ  Ｅｍｉｔｔｉｇ  Ｄｉｏｄｅ）などの発光素子である。
【００１３】
フード９は、例えば金属、プラスティックなどで形成された部材であり、表示部５の横幅よりも広い幅を有する例えば矩形の板状部材９ａと、板状部材９ａの横方向の両側に、例えば板状部材９ａに対し垂直に接続された側部９ｂとを有している。板状部材９ａと側部９ｂとは一体に形成されることが好ましい。フード９は、本体３の側面の上部に、側部９ｂを介して固定部１１により、固定部１１の点Ｃ１を通る軸１４を回動軸として回動可能に設置される。ここで、軸１４とは、図１に示した点Ｃ１と、点Ｃ１とは反対側の側面で側部９ｂを本体３に回動可能に固定する不図示の固定部の一点とを通る軸である。また、軸１４の固定部１１近傍にはスプリング１３が巻回されており、一端１３Ａはフード９に固定され、他端１３Ｂは本体３に固定されている。なお、スプリング１３は、両側面の固定部近傍に設けられてもよいし、いずれか一方でもよい。スプリング１３は、一端１３Ａを除き本体３内部に備えられることが好ましい。フード９は、押圧力が加わっていない場合には、図１（ａ）に示すように、表示部５から前面側に一部が突出する位置に配置される。この位置を通常の位置という。図１（ｂ）に示すように、下方から例えば矢印１７のように押圧力が加わると、フード９は、軸１４を回動軸として上部に向かって回動し、例えば上下方向に立ち上がった状態となる。
【００１４】
以上のように構成された表示装置１において、図２Ａ、図２Ｂを参照しながら、清掃時のフード９の動きについて説明する。図２Ａは、表示装置１に対して下方からブラシ２０が回転しながら上方に向かって移動する状況を説明する図であり、（ａ）は、ブラシ２０が表示装置１よりも下方にある状態を示し、（ｂ）は、ブラシ２０がフード９に対し押圧力を加えながら表示部５を清掃している状態を示す。図２Ｂは、表示装置１に対して下方からブラシ２０が回転しながら上方に向かって移動する状況を説明する図であり、（ａ）は、ブラシ２０がフード９に対し押圧力を加えながら本体３よりも上方に移動した状態を示し、（ｂ）は、ブラシ２０がフード９の上方に移動し、押圧力の印加をしていない状態を示している。
【００１５】
図２Ａ、図２Ｂに示すように、ブラシ２０は、回転部２１と柄２３とを有しており、例えば柄２３は、上下に移動可能な図示せぬ可動部に固定するようにしてもよい。このとき、ブラシ２０は、図示せぬ制御部により制御されて、回転部２１が矢印２５の方向に回転した状態で、図示せぬ可動部により矢印２６の方向に移動する。図２Ａ（ａ）に示すように、ブラシ２０が表示装置１の下方にあり、フード９に押圧力が印加されていないときには、フード９は、表示部５の前方に突出した通常の状態になっている。
【００１６】
図２Ａ（ｂ）に示すように、ブラシ２０は上方に移動するに従い、フード９に下方から上方へ向かう押圧力２７を印加する。このとき、フード９は、押圧力２７により生ずるスプリング１３の反力に対抗して、軸１４を回動軸として上方に回動した状態となる。また、回転部２１は矢印２５の方向に巻き上げるように回転しながら、表示部５を洗浄する。図２Ｂ（ａ）に示すように、表示部５の清掃が終わっても、ブラシ２０がフード９に押圧力を印加しながら上方に移動する間、フード９は上方に回動した状態である。図２Ｂ（ｂ）に示すように、ブラシ２０がさらに上方に移動し、フード９に押圧力を印加する範囲を超えると、フード９はスプリング１３の反力により、表示部５の前面に突出した通常の状態に戻る。
【００１７】
以上説明したように、第１の実施の形態による表示装置１は、フード９を有しており、フード９は、通常の状態では表示部５の前面に突出した状態に配置される。フード９は、例えば、表示部５を清掃するブラシ２０などにより上方に向かう押圧力を印加されると押し上げられ、軸１４を回動軸として上方に向かって回動する。このとき、スプリング１３には、フード９の回動を戻そうとする反力が生成される。押圧力が働かなくなると、フード９が回動することにより生じたスプリング１３の反力により、フード９は通常の状態に戻る。
【００１８】
以上のように、表示装置１に備えられたフード９は、上方へ可倒する回動機構を有し、押圧力が印加されていないときには、スプリング１３の反力によって元の場所に戻る構造となっている。よって、押圧力を印加された場合には、表示部５が露出するように回動し、押圧力が印加されなくなると、新たに動力、人力を介することなくスプリング１３の反力によりフード９を表示部の前方に突出した通常の状態にすることができる。
【００１９】
例えば、ブラシ２０等を下方から上方へ向かって移動させながら清掃する際には、ブラシ２０の力によってフード９を押し上げ、その状態のまま表示部５を上部側の端部まで清掃することができるとともに、フードを元に戻す手間も不要である。よって、フード９の存在を気にせずに作業を進めることができるため、機械作業等による連続作業が可能であり、人件費および作業工数の削減による多大なコストダウン効果がある。
【００２０】
（第２の実施の形態）
以下、第２の実施の形態による表示装置について説明する。図３は、第２の実施の形態による表示装置３０を示す図であり、（ａ）は、通常の状態、（ｂ）は、フードが上方に回動した状態を示す。第２の実施の形態による表示装置３０において、第１の実施の形態による表示装置１と同様の構成については同一の番号を付し、詳細説明を省略する。
【００２１】
図３（ａ）（ｂ）に示すように、表示装置３０は、本体３３と、本体３３の前面側に備えられた表示部５と、本体３３の上部に回動可能に設けられたフード３５とを有している。本体３３には、例えば直方体の後面の下部に後ろ側に突出した凸部３６が設けられた形状である。凸部３６は、表示装置３０の後面をパネルなどに固定する場合に、フード３５の回動が妨げられないようにするために設けられている。本体３３の上部には、開口部３８が設けられ、開口部３８にはスプリング３７が配置されている。
【００２２】
フード３５は、表示部５の横幅よりも広い幅を有する例えば矩形の板状部材３５ａと、板状部材３５ａの横方向両側に、例えば板状部材３５ａに対し垂直に接続された側部３５ｂとを有している。板状部材３５ａと側部３５ｂとは一体に形成されることが好ましい。フード３５は、本体３３の上面３２に例えば不図示の蝶番等により軸３４を軸として回動可能に接続されている。軸３４は、フード３５と本体３３とが接続された部分である。また、スプリング３７の一端３７ａはフード３５に固定され、他端３７ｂは本体３３に固定されている。
【００２３】
ここで、第１の実施の形態による表示装置１と第２の実施の形態による表示装置３０との相違は、押圧力に対する反力を生成するスプリング３７の位置、本体３３に凸部３６を設けたこと、及びフード３５の形状である。
【００２４】
第１の実施の形態による表示装置１と同様に、フード３５に矢印４９のように下方から上方に向かう押圧力が働いて上方に向かって回動すると、スプリング３７には押圧力に対抗する反力が生成される。フード３５に押圧力が働かなくなると、フード３５はスプリング３９の反力により通常の位置に戻る。
【００２５】
以上説明したように、第２の実施の形態による表示装置３０は、フード３５を有しており、フード３５は、通常の状態では表示部５の前面に突出した状態に配置される。フード３５は、例えば、表示部５を清掃するブラシなどにより上方に向かう押圧力を印加されると押し上げられ、上方に向かって回動する。このとき、スプリング３７には、フード３５の回動を戻そうとする反力が生成される。押圧力が働かなくなると、フード３５が回動することにより生じたスプリング３７の反力により、フード３５は通常の状態に戻る。
【００２６】
以上のように、フード３５は上方へ可倒する回動機構を有し、押圧力が印加されていないときには、スプリング３７の反力によって元の場所に戻る構造となっている。よって、押圧力を印加された場合には、表示部５が露出するように回動し、押圧力が印加されなくなると、新たに動力、人力を介することなくスプリング３７の反力によりフード３５を表示部の前方に突出した通常の状態にすることができる。
【００２７】
また、ブラシ等を下方から上方へ向かって移動させながら清掃する際には、ブラシの力によってフード３５を押し上げ、その状態のまま表示部５を上部側の端部まで清掃することができるとともに、フードを元に戻す手間も不要である。よって、フード３５の存在を気にせずに作業を進めることができるため、機械作業等による連続作業が可能であり、人件費および作業工数の削減による多大なコストダウン効果がある。また、このときスプリング３７は１箇所でよく、部品点数の削減ができる。
【００２８】
（第３の実施の形態）
以下、第３の実施の形態による表示装置アレイについて説明する。表示装置アレイとは、例えば、表示装置が２次元的に複数並べて配置された装置である。図４は、表示装置アレイ１００を示す概観図である。図４に示すように、表示装置アレイ１００は、第２の実施の形態による表示装置３０をボード１０２の表面に縦横にマトリクス状に複数配置した構成である。図４の例では、表示装置３０−１〜表示装置３０−１２を３行４列のマトリクス状に配置している。ここで、互いに上下方向または横方向に並んだ２つの表示装置３０は、フード３５が上方に回動しても互いに接触することがないように配置する。なお、各表示装置３０は、後面の凸部３６をボード１０２に固定することにより配置される。
【００２９】
図３（ｂ）に示すように、フード３５が上下方向に立ち上がった際の、フード３５の一端側の境界線３４からフード３５の他端までの距離をＲ２とする。このとき、図４に示すように、表示装置３０−１の本体３３の上面１０４と、表示装置３０−５の本体３３の下面１０６との間隔Ｌ２とすると、間隔Ｌ２＞距離Ｒ２となるように表示装置３０を配置する。このように配置すれば、フード３５が上方に回動しても、上方に配置された表示装置３０に接触することはない。他の上下に並びあう表示装置３０についても同様である。
【００３０】
以上のように構成された表示装置アレイ１００においては、不図示のブラシを用いて、以下のように自動的に表示装置３０の清掃を行う。例えば、図２を参照しながら説明したように、ブラシを回転させながら下方から上方に向けて移動させながら清掃する際には、ブラシの押圧力によってフード３５を押し上げ、その状態のまま表示部５を上部側の端部まで清掃する。清掃が終了したとき、フード３５は、スプリング３７の反力により通常の位置に戻る。
【００３１】
また清掃時には、表示装置３０−１、３０−２の２列または３列以上を同時に清掃する不図示のブラシを用いて清掃を行なうこともできる。例えば、２列の表示装置を同時に清掃する場合、ブラシを表示装置３０−１、３０−２の下方から回転させながら上方に移動させる。例えば図４に示すように、表示装置３０−１、３０−２、３０−５、３０−６の全てのフード３５が同時に上方に回動している状態を経て清掃が行われるような、サイズが大きく清掃範囲が大きいブラシにしてもよい。
【００３２】
以上説明したように、第３の実施の形態による表示装置アレイ１００によれば、フード３５が押圧力に応じて上方に回動し、押圧力がなくなると自動的に通常の状態に戻るので、自動回転式ブラシなどを用いて各表示装置３０の表示部５の上部までフード３５に妨げられることなく清掃が可能である。フード３５を元に戻す手間も不要であり、フード３５の存在を気にせずに作業を進めることができる。しかも、例えば表示装置３０を２列ずつ清掃するなど、複数の表示装置３０を同時に自動的に清掃することもできるので、多数の表示装置３０を有する表示装置アレイであっても清掃時のコストを大幅に削減することが可能となる。また、横方向に関しては、表示装置アレイ１００の例では、本体３３の横幅以上の間隔があるように描かれているが、フード３５の回動により互いに接触しない近接位置まで近づけた配置も可能である。
【００３３】
なお、第１の実施の形態による表示装置１を用いて表示装置アレイを構成するようにしてもよい。このとき、図１に示したように、回動軸１４からフード９の上端の距離を距離Ｒ１とすると、回動軸１４から上方向に隣接する表示装置１の下面までの距離が距離Ｒ１より大きくなるように表示装置１を配置すればよい。
【００３４】
（第４の実施の形態）
次に、図５を参照しながら、第４の実施の形態による表示装置アレイについて説明する。図５は、第４の実施の形態による表示装置アレイ１１０の一部を示す側面図である。第４の実施の形態による表示装置アレイ１１０において、第１〜第３の実施の形態による表示装置または表示装置アレイと同様の構成については同一の番号を付し、詳細説明を省略する。
【００３５】
図５に示すように、表示アレイ１１０は、ボード１０２に固定された複数の表示装置９０を有している。表示装置９０は、本体９３と、本体９３の前面側に備えられた表示部５と、本体９３の上部に回動可能に設けられたフード９９とを有している。本体９３は、例えば直方体の後面の下部に後側に突出した凸部９６が設けられた形状である。表示装置９０は、凸部９６の後面によりパネル１０２に固定されており、フード９９の回動が妨げられないように構成されている。
【００３６】
フード９９は、表示部５の横幅（図示せず）よりも広い幅を有する例えば矩形の板状部材９９ａと、板状部材９９ａの横方向後両側に、例えば板状部材９９ａに対し垂直に接続された側部９９ｂとを有している。板状部材９９ａと側部９９ｂとは一体に形成されることが好ましい。フード９９は、本体９３の側面に固定部９５により点Ｃ４を通る不図示の軸を回動軸として回動可能に接続され、矢印４９の方向に押圧力が印加されると上方に回動する。また、不図示のスプリングが固定部９５近傍に設けられ、一端がフード９９に固定され他端が本体９３に固定されることにより、矢印４９方向の押圧力が印加されなくなると、反力によりフード９３を元の位置に戻す。
【００３７】
ここで、第４の実施の形態による表示装置９０は、矢印４９の方向の押圧力が印加された際に、第１の実施の形態による表示装置１及び第２の実施の形態による表示装置３０のように、上下方向に沿う方向までフード９９が回動しないものとする。（フードが通常の状態より９０°まで上方向に回動しない）例えば、フード９９は、表示装置９０の表示部５の前面位置９７付近にフード９９の端部が位置する位置を、最大の回動位置とする。このときの、本体９３の上面９３ａから、フード９９の端部までの距離を距離Ｒ３とする。フード９９の回動を制限するために、例えば、固定部９５近傍に設けられた不図示のスプリングの弾性力を強くする方法、凸部９６の上部、固定部９５の少なくともいずれかにストッパ（図示せず）を設ける方法などを用いるようにしてもよい。
【００３８】
以上説明したように、第４の実施の形態による表示装置アレイ１１０は、第３の実施の形態による表示装置アレイ１００による効果に加え、表示装置９０の下面９３ｂと、その下に隣接する表示装置９０の上面９３ａとの間隔Ｌ３を狭くすることができる。このとき間隔Ｌ３＞Ｒ３であればよい。このように、上下に隣接する表示装置９０の間隔を狭めることができるので、表示装置アレイとしてより広く応用することが可能となる。
【００３９】
（第４の実施の形態の応用例）
以下、図６、図７を参照しながら、第４の実施の形態による表示装置アレイ１１０の変形例である表示装置２１０を利用した応用例としてスコアボード２００について説明する。図６は、スコアボード２００を示す概観図である。図６に示すように、スコアボード２００は例えば野球場に備えられた得点表示盤であり、ボード２０２とボード２０２を支持する複数の脚部２０１を有し、地面２０３に固定されている。ボード２０２は、例えば金属で形成された板状部材であり、図６において向かって左から、時計２０４、攻撃表示灯２０６、チーム名表示部２０８、２０９、得点表示部２１０、合計得点表示部２１２、２１４、判定表示部２１６などを有している。チーム名表示部２０８、２０９、得点表示部２１０、合計得点表示部２１２、２１４は、表示装置アレイ２２０をなしている。
【００４０】
図７は、表示部２０５の表示例を示す図である。表示部２０５は、得点表示部２１０の表示部の一例である。図７に示すように、表示部２０５においては、複数の表示素子２０７が１６行１６列のマトリクス状に配置されており、複数の表示素子２０７の中から所定の表示素子を発光させることにより数字など所望の情報を表示する。図７の例では「２」が表示されている。
【００４１】
図６に戻って、チーム名表示部２０８、２０９、得点表示部２１０、合計得点表示部２１２、２１４は、それぞれの表示部の横幅に応じた幅を有し、押圧力を印加されることにより上下方向に回動する図示せぬフードを備えるようにする。フードは、押圧力が印加されなくなると図示せぬスプリングの反力により、表示装置本体上目に接した通常の位置に戻る。なお、表示装置アレイ２２０を構成する各表示装置のフードは、図６においては、煩雑さを避けるため省略している。
【００４２】
また、表示装置アレイ２２０の各表示装置のフードは、第４の実施の形態による表示装置９０のように、図示せぬスプリングの弾性力や、ストッパなどにより回動範囲を制限した構成にすることが好ましい。これにより、２行に配列されている各表示装置の列間の間隔Ｌ４は、例えば各表示装置の上下方向の長さＲ４より短く設定することができる。
【００４３】
以上説明したように、表示アレイ２２０によれば、押圧力が印加されなくなるとスプリングの反力により元の位置に戻るフードを設けることにより、回転ブラシなどによりフードを気にせずに表示部の上端まで清掃することができる。また、フードの回動範囲を小さくすることにより、回動範囲を制限していない場合に比べて上下に隣接して配置する表示装置の間隔を狭めることが可能になるので、違和感のないスコアボードとすることができるなど、応用範囲が広がる。
【００４４】
（第５の実施の形態）
以下、図８を参照しながら、第５の実施の形態による表示装置７０について説明する。図８は、第５の実施の形態による表示装置７０を示す図であり、（ａ）は、通常の状態、（ｂ）は、フードが側方に回動した状態を示す。第５の実施の形態による表示装置７０において、第１、第２の実施の形態による表示装置１と同様の構成については同一の番号を付し、詳細説明を省略する。
【００４５】
図８（ａ）（ｂ）に示すように、表示装置７０は、本体７３と、本体７３の前面側に備えられた表示部５と、本体７３の上部に回動可能に設けられたフード７９とを有している。フード７９は、例えば、表示部５の少なくとも表示素子７が配置されている範囲の横幅Ｌ５よりも広い幅を有し、少なくとも一部が表示部５の前面側に突出する板状部材である。フード７９は、本体７３の上面の表示部５側から見て向かって左後方に、固定部７５により点Ｃ３を通る不図示の軸を回動軸として回動可能に設けられている。また、不図示の軸にはスプリング７７が巻回されており、スプリング７７の一端７７ａはフード７９に固定され、他端７７ｂは本体７３に固定されている。フード７９は、横方向の押圧力により矢印８１の方向に回動し、押圧力が印加されなくなると、スプリング７７の反力により、少なくとも一部が表示部５の前面側に突出する元の位置に戻る。このようにフード７９が一平面（例えば、上面に平行な平面）上を掃くように回動することを、上面に平行な面の面内で回動する、ということにする。
【００４６】
なお、第１の実施の形態による表示装置１または第２の実施の形態による表示装置３０と第５の実施の形態による表示装置７０との相違は、以下の点である。すなわち、フード７９は１箇所の固定部７５で本体７３に接続されており、上下方向を法線とした面内（以下、横方向面内という）で回動すること、押圧力に対する反力を生成するスプリング７７の位置、フード７９の形状である。
【００４７】
なお、フード７９を回動可能に固定する固定部７５は、表示部５側から見て向かって右側の後部など、他の位置でもよい。固定部の位置が変わった場合には、例えば清掃を行なう際のブラシの移動方向などを変えることが好ましい。また、フード７９の形状は、図示の例に限定されず、例えば前面が曲線になっている形状など、通常の位置で風雪や太陽光による影響を軽減でき、横方向の押圧力によって回動するものであれば他の形状でもよい。
【００４８】
以上説明したように、第５の実施の形態による表示装置７０は、フード７９を有しており、フード７９は、通常の状態では本体７３の上部に少なくとも一部が表示部５の前面に突出した状態に配置される。フード７９は、表示部５側から見て向かって右側からの押圧力が印加されると、表示装置７０の横方向面内で回動し、押圧力が印加されなくなると通常の位置に戻る。例えば、表示部５を清掃するブラシなどにより右側から左側に向かう押圧力を印加されると回動する。このとき、スプリング７７には、フード７９の回動を戻そうとする反力が生成される。押圧力が働かなくなると、フード７９が回動することにより生じたスプリング７７の反力により、フード７９は通常の状態に戻る。
【００４９】
以上のように、フード７９は横方向へ回動する回動機構を有し、押圧力が印加されていないときには、スプリング７７の反力によって元の場所に戻る構造となっている。よって、押圧力を印加された場合には、表示部５が露出するように回動し、押圧力が印加されなくなると、新たに動力、人力を介することなくスプリング７７の反力によりフード７９を表示部の前方に突出した通常の状態にすることができる。
【００５０】
よって、例えば、ブラシ等を横方向に移動させながら清掃する際には、ブラシの力によってフード７９を回動させ、その状態のまま表示部５を上部側の端部まで清掃することができるとともに、フード７９を元に戻す手間も不要である。よって、フード７９の存在を気にせずに作業を進めることができるため、機械作業等による連続作業が可能であり、人件費および作業工数の削減による多大なコストダウン効果がある。
【００５１】
（第６の実施の形態）
次に、第６の実施の形態による表示装置アレイについて説明する。図９は、表示装置アレイ１２０を示す概観図である。図９に示すように、表示装置アレイ１２０は、第６の実施の形態による表示装置７０をボード１２２の表面に複数配置した構成である。図９の例では、表示装置７０−１〜表示装置７０−１６を４行４列のマトリクス状に配置している。ここで、互いに上下方向または横方向に並んだ２つの表示装置７０は、フード７９が横方向に回動しても互いに接触することがないように配置する。各表示装置７０は、本体７３の後面をボード１２２に固定することにより配置される。
【００５２】
図８（ｂ）に示すように、フード７９が横方向に回動する際の最大半径を距離Ｒ５とする。このとき、図９に示すように、表示装置７０−１６の本体７３の点Ｃ３と隣接する表示装置７０−１５の左側側面１２４との距離を間隔Ｌ６とすると、間隔Ｌ６＞距離Ｒ５となるように表示装置７０を配置する。このようにすれば、フード７９が横方向に回動しても、横方向に隣接して配置された表示装置７０に接触することはない。他の横方向に並びあう表示装置７０についても同様である。
【００５３】
以上のように構成された表示装置アレイ１２０においては、不図示のブラシを用いて、自動的に表示装置７０の清掃を行うことができる。例えば、図８を参照しながら説明したように、ブラシを回転させながら右方向から左方向に向けて移動させながら清掃する際には、ブラシの押圧力によってフード７９を押しのけ、その状態のまま表示部５を上部側の端部まで清掃する。各表示装置７０の清掃が終了したとき、すなわちブラシがフード７９の回動する範囲を外れると反力によってフード７９は通常の状態に戻るので、フードを元に戻す手間も不要である。よって、フード７９の存在を気にせずに作業を進めることができる。
【００５４】
また清掃時には、例えば表示装置７０−１６、７０−１２の２段、または３段以上を同時に清掃する不図示のブラシを用いて清掃を行なうこともできる。例えば、２段の表示装置７０を同時に清掃する場合、ブラシを表示装置７０−１６、７０−１２の右方から回転させながら左方に移動させる。例えば図９に示すように、表示装置７０−１６、７０−１２、７０−１５、７０−１１の全てのフード７９が同時に横方向に回動している状態を経て清掃が行われるような、サイズが大きく清掃範囲が大きいブラシにしてもよい。
【００５５】
以上説明したように、第６の実施の形態による表示装置アレイ１２０によれば、フード７９が押圧力に応じて横方向に回動し、押圧力がなくなると自動的に通常の状態に戻る。よって、自動回転式ブラシなどを用いて各表示装置７０の表示部５の上部までフード７９に妨げられることなく清掃が可能である。しかも、例えば表示装置７０を２段ずつ清掃するなど、複数の表示装置７０を同時に自動的に清掃することもできるので、多数の表示装置７０を有する表示装置アレイ１２０であっても清掃時のコストを大幅に削減することが可能となる。なお、上記例では間隔Ｌ６＞距離Ｒ５となるように表示装置７０を配置しているが、回動する際に隣接する表示装置に接触するような撓みを生じないフード７９の構成とすることで、表示装置７０の間隔を隣接する表示装置の回動を妨げない程度に近接位置まで近づけた配置とすることも可能である。また、上下方向に関しては、表示装置アレイ１２０の例では、本体７３の高さ程度間隔があるように描かれているが、フード７９の回動により互いに接触しない近接位置まで近づけた配置も可能である。
【００５６】
（第７の実施の形態）
次に、第７の実施の形態による表示装置アレイ１３０について説明する。図１０は、表示装置アレイ１３０を示す概観図である。図１０に示すように、表示装置アレイ１３０は、第５の実施の形態による表示装置７０を不図示のボードの表面に縦横に複数配置した構成である。図１０の例では、表示装置７０を６個配置している。ここで、表示装置７０の上下方向を軸７２で示し、左右方向を軸７８で示す。また、軸７４、軸８２の方向は、表示装置アレイ１３０における上下方向及び横方向となる。軸７２と軸７４、軸７８と軸８２とは、鋭角θ１をなしている。
【００５７】
すなわち、表示装置アレイ１３０においては、全ての表示装置７０は、上下方向が表示装置アレイ１３０の上下方向である軸７４に対し鋭角θ１の角度傾くように配置される。また、表示装置アレイ１３０の上下方向に複数の表示装置７０を並べて配置するときは、それぞれの表示部５の中心Ｃ６が軸７４と平行な１本の直線上にのるように配置する。表示装置アレイ１３０の横方向に複数の表示装置７０を配置するときは、それぞれの表示部５の中心Ｃ６が軸８２と平行な１本の直線上にのるように配置する。
【００５８】
以上のように配置することにより、表示装置７０のフード７９は左方向に隣接する表示装置７０の上面７３ａに対し、段差Ｄ１だけずれることになる。このとき、固定部７５またはフード７９の高さよりも段差Ｄ１が高くなるように鋭角θ１及び隣接する表示装置７０同士の距離を設定すれば、フード７９が回動しても隣接する表示装置７０とは接触しない。よって、第４の実施の形態による表示装置アレイ１２０よりも表示装置７０同士の間隔を狭めることが可能になる。また、第４の実施の形態の応用例のように遠距離から見るような場合には、表示装置７０の上下方向と表示装置アレイ１３０の上下方向との傾きである鋭角θ１は、ほとんど問題とならない角度とすることができる。
【００５９】
以上のように構成された表示装置アレイ１３０においては、不図示のブラシを用いて、自動的に表示装置７０の清掃を行うことができる。例えば、図８を参照しながら説明したように、ブラシを回転させながら右方向から左方向に向けて移動させながら清掃する際には、ブラシの押圧力によってフード７９を押しのけ、その状態のまま表示部５を上部側の端部まで清掃する。各表示装置７０の清掃が終了したとき、すなわちブラシがフード７９の回動する範囲を外れると反力によってフード７９は通常の状態に戻るので、フードを元に戻す手間も不要である。よって、フード７９の存在を気にせずに作業を進めることができる。
【００６０】
以上説明したように、第７の実施の形態による表示装置アレイ１３０によれば、清掃時のコストを大幅に削減することが可能となるとともに、左右方向について表示装置７０をさらに近接させて配置することが可能になる。
なお、表示装置７０を並べるときに一直線上にのせる点については、表示部５の中心Ｃ６以外の特定の点としてもよい。
【００６１】
（第８の実施の形態）
次に、第８の実施の形態による表示装置アレイ１４０について説明する。第８の実施の形態による表示装置１５０及び表示アレイ１４０において、第１から第７の実施の形態における表示装置と同様の構成については同一の番号を付し、重複説明を省略する。
【００６２】
図１１は、表示装置アレイ１４０を示す概観図である。図１１に示すように、表示装置アレイ１４０は、第５の実施の形態による表示装置７０の変形例である表示装置１５０を不図示のボードの表面に縦横に複数配置した構成である。図１１の例では、表示装置１５０を６個配置している。
【００６３】
表示装置１５０は、本体１５３、表示面１５５、およびフード７９を有している。本体１５３は、上面１５３ａが、下面１５３ｃに対して所定の角度傾いて形成された、断面が台形の四角柱形状である。フード７９は、上面１５３ａの下面１５３ａと距離が離れた側に、固定部７５を介して固定される。フード７９は、固定部７５により軸７６を回動軸として回動可能に設けられている。本体１５３は、前面に表示面１５５を有している。表示面１５５は、図１１の例では５行５列に配列された複数の表示素子７を有している。表示素子７は、下面１５３ｃに対し平行な方向及び垂直な方向に配列されている。本実施の形態において、表示面１５５の上下方向は、図１１において軸１７４で表している。
【００６４】
表示装置１５０において、フード７９は、軸１７４と鋭角θ２をなす軸１７２と平行な軸７６を法線とした面内で回動する。すなわちフード７９は、軸７６に垂直な平面と平行に回動する。よって、フード７９が回動したとき、隣接する表示装置１５０の上面１５３ａに対しフード７９は、段差Ｄ２だけずれることになる。このとき、固定部７５またはフード７９の高さよりも段差Ｄ２が高くなるように鋭角θ２及び隣接する表示装置１５０同士の距離を設定すれば、フード７９が回動しても隣接する表示装置１５０とは接触しない。よって、第４の実施の形態による表示装置アレイ１２０よりも表示装置同士の間隔を狭めることが可能になる。また、第７の実施の形態による表示装置アレイ１３０のように、表示素子７の配列の傾きもないので、より違和感のない表示装置アレイとすることができる。なお、軸１７４、軸１７８は、本発明の第１の方向および第２の方向の一例である。
【００６５】
以上のように構成された表示装置アレイ１４０においては、不図示のブラシを用いて、自動的に表示装置１５０の清掃を行うことができる。例えば、図８を参照しながら説明したように、ブラシを回転させながら右方向から左方向に向けて移動させながら清掃する際には、ブラシの押圧力によってフード７９を押しのけ、その状態のまま表示部１５５を上部側の端部まで清掃する。各表示装置１５０の清掃が終了したとき、すなわちブラシがフード７９の回動する範囲を外れると反力によってフード７９は通常の状態に戻るので、フードを元に戻す手間も不要である。よって、フード７９の存在を気にせずに作業を進めることができる。
【００６６】
以上説明したように、第８の実施の形態による表示装置アレイ１４０によれば、清掃時のコストを大幅に削減することが可能となるとともに、表示素子７の配列の傾きもなく、左右方向について表示装置１５０をさらに近接させて配置することが可能になる。
【００６７】
（第９の実施の形態）
第９の実施の形態による表示装置５０について、図１２、図１３を参照しながら説明する。図１２は、第９の実施の形態による表示装置５０を示す図であり、（ａ）は、通常の状態、（ｂ）は、フードが上方に回動した状態を示す。図１３は、表示装置５０の側面から見た説明図であり、（ａ）は通常の状態、（ｂ）は、フードが上方に回動する経過、（ｃ）は、上下方向に立ち上がった状態を示す。第９の実施の形態による表示装置５０において、第１から第６の実施の形態による表示装置と同様の構成については同一の番号を付し、詳細説明を省略する。
【００６８】
図１２、図１３に示すように、表示装置５０は、本体５３と、本体５３の内部に前後に移動可能に備えられた表示体５５と、本体５３の上部に回動可能に設けられたフード５７とを有している。本体５３は、例えば、金属またはプラスティックなどで形成されており、内部に、表示体５５を移動可能に収納する収納部６６を有するとともに、後面の下部に後ろ側に突出した凸部５６が設けられている。凸部５６は、表示装置５０の後面をパネルなどに固定する場合に、フード５７の回動が妨げられないようにするために設けられている。本体５３の後面の凸部５６よりも上部の一部には不図示の開口部が設けられており、フード５７が回動した際に、少なくとも後述する押圧部５９が本体５３の内部に入り込み、表示体５５を押し出すことができるように構成されている。また、収納部６６には、表示体５５を囲むように、防水パッキン６５が例えば２箇所設けられ、本体５３内部に雨水などが侵入するのを防止している。
【００６９】
表示体５５は、例えば金属またはプラスティックなどで形成された直方体形状をなし、前面が表示部５となっている。表示部５には、複数の表示素子７が備えられている。表示体５５は、本体５３内部に、前後方向に移動可能に備えられている。図１３に示すように、本体５３の収納部６６の後ろ側の部分には、スプリング５４の一端が固定されており、スプリング５４の他端は、表示体５５の背面に固定されている。
【００７０】
フード５７は、表示部５の横幅よりも広い幅を有する板状部材５７ａと、板状部材５７ａの横方向両側に、例えば板状部材５７ａに対し垂直に接続された側部５７ｂと、後ろ側から下方に向けて突出した押圧部５９とを有している。板状部材５７ａ、側部５７ｂ、および押圧部５９は一体に形成されることが好ましい。フード５７は、本体５３の側面の上部に、側部５７ｂを介して固定部１１により、固定部１１の点Ｃ１を通る軸１４を回動軸として回動可能に設置される。ここで、軸１４とは、図１に示した点Ｃ１と、点Ｃ１とは反対側の側面で側部５７ｂを本体５３に回動可能に固定する不図示の固定部の一点とを通る軸である。また、軸１４にはスプリング１３が巻回されており、一端１３ａはフード５７に固定され、他端１３ｂは本体５３に固定されている。
【００７１】
フード５７は、押圧力が加わっていない場合には、図１２（ａ）に示すように、表示部５５から前面側に一部が突出する位置に配置される。この位置を通常の位置という。図１２（ｂ）に示すように、下方から例えば矢印１７のように押圧力が加わると、フード５７は、軸１４を回動軸として上部に向かって回動し、上下方向に立ち上がった状態となる。このとき、図１３（ｂ）（ｃ）に示すように、押圧部５９は矢印１５のように回動することにより本体５３内部に入り込み、表示体５５の後面を前側に向かって矢印６１のように押圧する。この結果、表示体５５は表示部５側に押し出されることになる。よって、清掃を行う際には、表示部５が本体５３より前面側に突出していることになる。下方からの押圧力がなくなると、フード５７は、スプリング１３の反力により通常の位置に戻る。同時に、押圧部５９は表示体５５の後面を押さなくなるので、スプリング５４の反力により、表示体５５は収納部６６内に戻る。
【００７２】
以上説明したように、第９の実施の形態による表示装置５０は、本体５３、表示体５５、およびフード５７を有している。表示体５５は、本体５３内部に移動可能に設けられており、前面に表示部５を備えている。フード５７は、通常の状態では表示部５の前面に突出した状態に配置され、後面には押圧部５９を備えている。フード５７は、例えば、表示部５を清掃するブラシなどにより上方に向かう押圧力を印加されると押し上げられ、上方に向かって回動する。このとき、スプリング１３には、フード５７の回動を戻そうとする反力が生成される。同時に、押圧部５９は、表示体５５の後面を前側に押す。表示体５５は、前側に表示部５が突出した位置に移動する。押圧力が働かなくなると、フード５７が回動することにより生じたスプリング１３の反力により、フード５７は通常の状態に戻る。同時に、押圧部５９が表示体５５を押圧したことにより生じたスプリング５４の反力により、表示体５５は元の位置に戻る。
【００７３】
以上のように、フード５７は上方へ可倒する回動機構を有し、押圧力が印加されていないときには、スプリング１３の反力によって元の場所に戻る構造となっている。また、表示体５５は、押圧部５９により前側に押し出される移動機構を有し、押圧力が印加されていないときにはスプリング５４の反力によって元の場所に戻る構造となっている。よって、押圧力を印加された場合には、表示部５が露出するとともに前側に移動し、押圧力が印加されなくなると、新たに動力、人力を介することなくスプリング１３、５４の反力によりフード５７、表示体５５を通常の状態にすることができる。
【００７４】
また、ブラシ等を下方から上方へ向かって移動させながら表示装置５０を清掃する際には、ブラシの力によってフード５７を押し上げ、表示部５を前側に移動させ、その状態のまま表示部５を上部側の端部まで清掃することができるとともに、フードを元に戻す手間も不要である。また、表示部が本体５３よりも前側に突出するので、より清掃を簡易かつ確実に行なうことができる。
【００７５】
なお、本発明は、以上に述べた実施の形態に限定されるものではなく、本発明の要旨を逸脱しない範囲内で種々の構成または実施形態を採ることができる。例えば、上記各実施の形態によるフードは、少なくとも一部が表示部の前側に突出しており、回動可能であればよく、上記例には限定されない。表示部５に備えられた表示素子７の数、配置は上記に限定されない。フードを回動させる機構についても、押圧力により回動し、押圧力が印加されない場合には反力により元の位置に戻る機構であれば、上記に限定されない。また、スプリング１３、５４、３７、７７等は、板バネのような別の弾性部材でもよい。
【００７６】
表示装置１、表示装置１、７０、１５０については、後面に凸部を設けない例について説明したが、凸部を設けてもよい。また、表示装置９０のフード９９に代えて表示装置１のフード９のような側部９ｂを備えた構成を用いることにより、後面の凸部を省略した構成でもよい。
【００７７】
第９の実施の形態による表示装置５０を用いて表示装置アレイを構成するようにしてもよい。このとき、回動軸１４からフード５７の上端の距離よりも、回動軸１４から上方向に隣接する表示装置５０の下面までの距離が大きくなるように表示装置５０を配置すればよい。その他、上記各実施の形態による各部の構成を可能な範囲で組み合わせることも本発明の範囲である。
【符号の説明】
【００７８】
１      表示装置
３      本体
５      表示面
７      表示素子
９      フード
９ａ      板状部材
９ｂ      側部
１１      固定部
１３      スプリング
１５、１７、２５、２６、２７    矢印
２０      ブラシ
２１      回転部
２３      柄
【図７】
0005498979.tif 000002
【図１３】
0005498979.tif 000003
【図１】
0005498979.tif 000004
【図２Ａ】
0005498979.tif 000005
【図２Ｂ】
0005498979.tif 000006
【図３】
0005498979.tif 000007
【図４】
0005498979.tif 000008
【図５】
0005498979.tif 000009
【図６】
0005498979.tif 000010
【図８】
0005498979.tif 000011
【図９】
0005498979.tif 000012
【図１０】
0005498979.tif 000013
【図１１】
0005498979.tif 000014
【図１２】
0005498979.tif 000015